(57)【要約】【課題】用紙から原稿画像を読み込んで画像データを生成する際に、埋め込まれるオブジェクトの位置や大きさに対する自由度を向上することが可能な画像データ生成装置を提供する。【解決手段】用紙から原稿画像を読み込んだ原稿画像データを取得する原稿画像データ取得部２６と、原稿画像データ上でオブジェクトの記憶先を示す記憶先情報を認識する記憶先情報認識部２７と、原稿画像データ上で記憶先情報の周囲に配置された枠線を認識する枠線認識部２９と、記憶先情報及び枠線を認識した場合に、記憶先情報に応じた記憶先からオブジェクトを取得して原稿画像データの枠線内に埋め込む埋込部３１とを備える。【選択図】図３
2014236431.tif 000002
【特許請求の範囲】
【請求項１】
用紙から原稿画像を読み込んだ原稿画像データを取得する原稿画像データ取得部と、
前記原稿画像データ上でオブジェクトの記憶先を示す記憶先情報を認識する記憶先情報認識部と、
前記原稿画像データ上で前記記憶先情報の周囲に配置された枠線を認識する枠線認識部と、
前記記憶先情報及び枠線を認識した場合に前記記憶先情報に応じたオブジェクトを取得して前記原稿画像データの前記枠線内に埋め込む埋込部と、
を備えたことを特徴とする画像データ生成装置。
【請求項２】
請求項１記載の画像データ生成装置であって、
前記埋込部は、前記オブジェクトの種別が画像である場合に、アスペクト比を維持した最大の大きさとなるように前記枠線内へのオブジェクトの埋め込みを行う、
ことを特徴とする画像データ生成装置。
【請求項３】
請求項１又は２記載の画像データ生成装置で処理可能な画像を用紙上に形成するための画像データ処理装置であって、
オブジェクトが埋め込まれた画像データに対して前記オブジェクトを記憶するオブジェクト記憶部と、
前記画像データ上で前記オブジェクトを、前記記憶先情報に置換する置換部と、
前記画像データ上で記憶先情報の周囲に枠線を配置可能とする余白を形成する余白形成部と、
を備えたことを特徴とする画像データ処理装置。
【請求項４】
請求項３記載の画像データ処理装置であって、
前記余白形成部は、前記記憶先情報を新規ページ上に位置させる、
ことを特徴とする画像データ処理装置。
【請求項５】
用紙から原稿画像を読み込んだ原稿画像データを取得する原稿画像データ取得機能と、
前記原稿画像データ上でオブジェクトの記憶先を示す記憶先情報を認識する記憶先情報認識機能と、
前記原稿画像データ上で前記記憶先情報の周囲に配置された枠線を認識する枠線認識機能と、
前記記憶先情報及び枠線を認識した場合に前記記憶先情報に応じたオブジェクトを取得して前記原稿画像データの前記枠線内に埋め込む埋込機能と、
をコンピューターに実現させることを特徴とする画像データ生成プログラム。
【請求項６】
請求項５記載の画像データ生成プログラムで処理可能な画像を用紙上に形成するための画像データ処理プログラムであって、
オブジェクトが埋め込まれた画像データに対して前記オブジェクトを記憶するオブジェクト記憶機能と、
前記画像データ上で前記オブジェクトを、前記記憶先情報に置換する置換機能と、
前記画像データ上で記憶先情報の周囲に枠線を配置可能とする余白を形成する余白形成機能と、
をコンピューターに実現させることを特徴とする画像データ処理プログラム。
【発明の詳細な説明】
【技術分野】
【０００１】
本発明は、用紙上の原稿画像を読み込んで画像データを生成するための画像データ生成装置、画像データ処理装置、画像データ生成プログラム、及び画像データ処理プログラムに関する。
【背景技術】
【０００２】
近年では、文書データに動画像や音声のオブジェクトを埋め込んで、文書の内容と共に動画像や音声を再生してディスプレイに表示可能とするものがある。このような文書データを印刷する場合は、動画像や音声を用紙上に適切に出力することができず、データが失われてしまうという問題があった。例えば、動画像や音声のオブジェクトが、用紙上で再生ボタン等の特定のアイコン、静止画像、或いは黒塗りの画像となっていた。
【０００３】
これに対し、特許文献１のように、印刷データを生成する際に文書データ中の動画像のオブジェクトを静止画像に置換すると共に別途記憶する画像形成装置がある。この画像形成装置では、動画像のオブジェクトを失うことなく、文書データに対する印刷として文書及び静止画像による用紙上への画像形成を行うことができる。
【０００４】
また、特許文献１では、静止画像にオブジェクトの記憶先情報や文書中での位置情報等が含まれており、印刷結果の用紙から原稿画像（文書及び静止画像）を読み込むことで、静止画像を動画像のオブジェクトに置換して文書データを再構築することも可能となっている。
【０００５】
しかし、特許文献１では、静止画像中に付加された位置情報によって文書データの再構築時のオブジェクトの位置や大きさが決定されるので、オブジェクトの位置や大きさに対する自由度が低いという問題があった。
【先行技術文献】
【特許文献】
【０００６】
【特許文献１】特開２０１０−８６２９７号公報
【発明の概要】
【発明が解決しようとする課題】
【０００７】
本発明が解決しようとする問題点は、用紙から原稿画像を読み込んで画像データを生成する際に、埋め込まれるオブジェクトの位置や大きさに対する自由度が低い点である。
【課題を解決するための手段】
【０００８】
本発明は、用紙から原稿画像を読み込んだ原稿画像データを取得する原稿画像データ取得部と、前記原稿画像データ上でオブジェクトの記憶先を示す記憶先情報を認識する記憶先情報認識部と、前記原稿画像データ上で前記記憶先情報の周囲に配置された枠線を認識する枠線認識部と、前記記憶先情報及び枠線を認識した場合に前記記憶先情報に応じたオブジェクトを取得して前記原稿画像データの前記枠線内に埋め込む埋込部とを備えたことを画像データ生成装置の最も主な特徴とする。
【発明の効果】
【０００９】
本発明によれば、原稿画像の読み込み前に用紙上で枠線の大きさを調整すれば、埋め込まれるオブジェクトの位置や大きさに対する自由度を向上することができる。
【図面の簡単な説明】
【００１０】
【図１】画像処理システムの概念図であり、（Ａ）は印刷データ生成時、（Ｂ）は画像データ生成時を示す（実施例１）。
【図２】（Ａ）は画像データを示す概念図、（Ｂ）は原稿画像データを示す概念図である（実施例１）。
【図３】情報処理端末を示す要部ブロック図である（実施例１）。
【図４】原稿画像データの記憶先情報及び枠線の一例を示す要部拡大図である（実施例１）。
【図５】オブジェクトを埋め込んだ画像データの一例を示す要部拡大図である（実施例１）。
【図６】図２の情報処理端末による印刷データ生成処理を示すフローチャートである（実施例１）。
【図７】図２の情報処理端末による画像データ生成処理を示すフローチャートである（実施例１）。
【図８】画像処理システムを示す概念図であり、（Ａ）は印刷データ生成時、（Ｂ）は画像データ生成時を示す（実施例２）。
【図９】画像形成装置を示す要部ブロック図である（実施例２）。
【図１０】原稿画像データを示す概念図である（実施例３）。
【発明を実施するための形態】
【００１１】
用紙から原稿画像を読み込んでデータを生成する際に、埋め込まれるオブジェクトの位置や大きさに対する自由度を向上するという目的を、用紙から読み込んだ原稿画像の原稿画像データ上においてオブジェクトの記憶先を示す記憶先情報及びその周囲に配置された枠線を認識し、認識した枠線内にオブジェクトを埋め込む画像データ生成装置によって実現した。
【００１２】
読み込み対象となる原稿画像は、画像データ処理装置によって処理された画像データに基づいて用紙上に形成することができる。画像データ処理装置は、画像データ内のオブジェクトを記憶し、画像データの画像上でオブジェクトを記憶先情報に置換し、画像データの画像上で記憶先情報の周囲に枠線を配置可能とする余白を形成する。
【００１３】
画像データ生成装置及び画像データ処理装置は、パーソナルコンピューター等の情報処理端末やデジタル複合機等の画像形成装置によって実現することができる。
【００１４】
以下、本発明の実施例について図面を参照して説明する。
【実施例１】
【００１５】
［画像処理システム］
図１は、画像処理システムの概念図であり、（Ａ）は印刷データ生成時、（Ｂ）は画像データ生成時を示す。
【００１６】
本実施例の画像処理システム１は、サーバー３と、画像形成装置５と、画像データ処理装置及び画像データ生成装置としての情報処理端末７とがネットワークを介して接続されている。
【００１７】
サーバー３は、クラウドサーバーやウェブサーバー等であり、ネットワークを介して受信したデータを記憶するものである。
【００１８】
画像形成装置５は、例えば、プリンタ機能等を有するデジタル複合機であり、入力された印刷データに基づく印刷として用紙上に画像を形成する。
【００１９】
情報処理端末７は、パーソナルコンピューター等であり、図１（Ａ）のように、画像データから印刷データを生成し、生成した印刷データを画像形成装置５に出力する。図２（Ａ）に画像データを、図２（Ｂ）に原稿画像データを示す。
【００２０】
画像データは、例えばアプリケーションによって作成された文書データであり、オブジェクトが埋め込まれている。オブジェクトは、本来の文書データとは異なる種類のデータであり、本実施例では、一連の情報が連続的に再生される再生データとしての動画像である。ただし、オブジェクトは、静止画像、音声、特定ウェブサイトへのハイパーリンク、テキスト等でもよい。なお、文書データは、文字データに限定されるものではなく、線図データ等の画像として認識可能な他のデータであってもよい。
【００２１】
本実施例の情報処理端末７は、画像データ内のオブジェクトをサーバー３に記憶させると共にオブジェクトの記憶先情報で画像データ上のオブジェクトを置換して、図２（Ｂ）の原稿画像データを生成する。この原稿画像データから印刷データが生成される。
【００２２】
記憶先情報は、サーバー３内のＵＲＬ（Uniform Resource Locator）等であり、本実施例では、二次元バーコードに変換されたマークとなっている。ただし、置換用の記憶先情報は、ＡＲ（Augmented Reality）マーカー等の他のマークやＵＲＬの文字列自体等としてもよい。
【００２３】
また、情報処理端末７は、図１（Ｂ）のように、用紙上の原稿画像を読み取って画像データを生成可能となっている。このとき、情報処理端末７は、読み取った原稿画像による原稿画像データ内の記憶先情報を、対応するサーバー３内のオブジェクトで置換してオブジェクトが埋め込まれた画像データを生成する。
【００２４】
以下、本実施例の情報処理端末７について詳細に説明する。
【００２５】
図３は、情報処理端末を示す要部ブロック図である。
【００２６】
情報処理端末７は、スキャナー９、ネットワークインターフェイス１１、制御部１３、記憶部１５等を備えている。
【００２７】
スキャナー９は、用紙上に形成されている原稿画像を読み取って原稿画像データを生成する。
【００２８】
ネットワークインターフェイス１１は、画像形成装置５及びサーバー３を含む外部装置に対してネットワークを通じたデータの送受信を行う。
【００２９】
制御部１３は、ＣＰＵ（Central Processing Unit）等の演算装置であり、プログラムを実行することで各種の処理や制御を行う。
【００３０】
記憶部１５は、プログラムを記憶するＲＯＭ（Read  Only Memory）、作業領域としてのＲＡＭ（Random Access Memory）、補助記憶装置としてのＨＤＤ（Hard Disk Drive）等である。
【００３１】
本実施例の情報処理端末７は、制御部１３が記憶部１５内のプログラムを実行することで、画像データ処理装置のオブジェクト記憶部１７、置換部１９、余白形成部２１、枠線形成部２３、印刷データ生成部２５として動作すると共に、画像データ生成装置の原稿画像データ取得部２６、記憶先情報認識部２７、枠線認識部２９、埋込部３１として動作する。
【００３２】
画像データ処理装置の各部は、例えばアプリケーション上で画像データに対する印刷実行指示が行われた場合等のように、画像データに対する印刷データの生成指示が行われた場合に動作する。
【００３３】
オブジェクト記憶部１７は、オブジェクト記憶機能を実現し、画像データに埋め込まれているオブジェクトを記憶させる。具体的には、印刷データの生成指示が行われた画像データに対し、埋め込まれているオブジェクトをサーバー３に送信して記憶させる。
【００３４】
置換部１９は、置換機能を実現し、画像データ上のオブジェクトを記憶先情報に置換する。この置換は、オブジェクトの記憶時に取得されるサーバー３の記憶先情報に応じて行う。
【００３５】
余白形成部２１は、余白形成機能を実現し、画像データ上で記憶先情報の周囲に枠線を配置可能とする余白を形成して原稿画像データを生成する（図４）。余白の大きさや範囲は、記憶先情報の位置や大きさによって設定することができ、例えばオブジェクトよりも小さい記憶先情報をオブジェクトの中心に対応する部分に位置させて設定する。また、余白の大きさや範囲は、ユーザーの指示入力に応じて設定することも可能である。ユーザーの指示入力は、印刷データの生成指示のための印刷設定等として受け付ければよい。
【００３６】
枠線形成部２３は、枠線形成機能を実現し、原稿画像データ上で記憶先情報の周囲の余白上に枠線を形成する。本実施例の枠線は、ユーザーの指示入力があった場合にのみ形成される。ユーザーの指示入力は、余白の大きさや範囲と同様に、印刷設定等として受け付けることができる。
【００３７】
図４は、原稿画像データの記憶先情報及び枠線の一例を示す要部拡大図である。図４の枠線は、記憶先情報を囲む連続した線によって形成される矩形状となっている。ただし、枠線の形状や線種等は、特に限定されるものではなく、例えば円形等の任意の図形とすること或いは破線の非連続な線によって形成することも可能である。
【００３８】
印刷データ生成部２５は、印刷データ生成機能を実現し、原稿画像データから画像形成装置５で解釈可能な印刷データを生成する。生成された印刷データは、画像形成装置５に送信されて、画像形成装置５での印刷に用いられる。
【００３９】
画像データ生成装置の各部は、例えばスキャナー９に対する用紙上の原稿画像の読み込み指示を行った場合に動作する。
【００４０】
原稿画像データ取得部２６は、画像読込機能を実現し、スキャナー９で用紙から読み込まれた原稿画像の原稿画像データを取得する。
【００４１】
記憶先情報認識部２７は、記憶先情報認識機能を実現し、原稿画像データ上でオブジェクトの記憶先を示す記憶先情報を認識する。記憶先情報の認識は、二次元バーコードやＡＲマーカーのリーダー等のように記憶先情報の形態に応じた認識技術を利用して実現できる。
【００４２】
枠線認識部２９は、枠線認識機能を実現し、原稿画像データ上で記憶先情報の周囲に配置された枠線を認識する。枠線の認識は、記憶先情報の他に内部に位置する画像が存在しない枠線を認識することで行うことができ、罫線の認識技術を利用して実現できる。
【００４３】
埋込部３１は、埋込機能を実現し、記憶先情報及びその周囲の枠線を認識した場合に、記憶先情報に応じたオブジェクトを取得して原稿画像データ上の枠線内に埋め込む。従って、枠線によりオブジェクトの表示領域が規定される。オブジェクトを埋め込み時には、埋込部３１が原稿画像から枠線を削除して画像データを生成する。
【００４４】
図５は、オブジェクトを埋め込んだ画像データの一例を示す要部拡大図である。図５のように、本実施例では、動画像であるオブジェクトが枠線内でアスペクト比を維持した最大となるように調整されている。
【００４５】
なお、オブジェクトの種別が静止画像であっても同様にアスペクト比を維持した最大となるように調整する。オブジェクトの種別が音声である場合は、音声を再生可能とするアイコン等を、特定サイトへのアクセスである場合は、ハイパーリンク等を枠線内にそれぞれ単純に埋め込めばよい。
［印刷データ生成処理］
図６は、図２の情報処理端末による印刷データ生成処理を示すフローチャートである。本実施例の印刷データ生成処理は、情報処理端末７の画像データ処理装置としての各部により実行され、画像データに対する印刷データの生成指示が行われることで開始される。
【００４６】
ステップＳ１では、「埋め込みオブジェクトあり？」の処理が行われる。この処理では、オブジェクト記憶部１７が画像データにオブジェクトが埋め込まれているか否かを判断する。
【００４７】
オブジェクトが埋め込まれている場合はステップＳ２へ移行し（ＹＥＳ）、オブジェクトが埋め込まれていない場合はステップＳ１０へ移行する（ＮＯ）。
【００４８】
ステップＳ２では、「埋め込みオブジェクトのファイル変換」が行われる。この処理では、オブジェクト記憶部１７が画像データに埋め込まれているオブジェクトのデータをファイル変換する。こうしてオブジェクトファイルが生成されると、ステップＳ３へ移行する。
【００４９】
ステップＳ３では、「オブジェクトファイルをサーバーにアップロード」が行われる。この処理では、オブジェクト記憶部１７がオブジェクトファイルをサーバー３に送信し記憶させてアップロードする。こうしてステップＳ３が完了し、ステップＳ４へ移行する。
【００５０】
ステップＳ４では、「オブジェクトファイルの記憶先ＵＲＬを取得」が行われる。この処理では、置換部１９がサーバー３内のオブジェクトファイルの記憶先ＵＲＬを記憶先情報として取得してステップＳ５へ移行する。
【００５１】
ステップＳ５では、「記憶先ＵＲＬの記憶先マークへの変換」が行われる。この処理では、置換部１９が取得した記憶先ＵＲＬを置換用の記憶先情報として二次元バーコードであるマーク（記憶先マーク）に変換して、ステップＳ６へ移行する。
【００５２】
ステップＳ６では、「オブジェクトを記憶先マークに置換」が行われる。この処理では、置換部１９が画像データの画像上のオブジェクトを記憶先マークに置換する（図２（Ｂ））。
【００５３】
こうしてステップＳ６が完了し、ステップＳ７へ移行する。
【００５４】
ステップＳ７では、「記憶先マーク周囲への余白の形成」が行われる。この処理では、余白形成部２１が、記憶先マークの大きさや位置を調整することで周囲に余白を形成する（図２（Ｂ））。
【００５５】
これにより原稿画像データが生成されて、ステップＳ８へ移行する。
【００５６】
ステップＳ８では、「枠線を形成する？」が行われる。この処理では、枠線形成部２３がステップＳ７で形成された余白上に枠線を形成するか否かを判断する。ここでは、例えば、ユーザーからの指示入力を印刷設定等として受け付けたか否かを判断する。
【００５７】
枠線を形成する場合はステップＳ９へ移行し（ＹＥＳ）、枠線を形成しない場合はステップＳ１０へ移行する（ＮＯ）。
【００５８】
ステップＳ９では、「枠線の形成」が行われる。この処理では、枠線形成部２３が原稿画像データ上で記憶先マークの周囲の余白内にユーザーの指示入力に応じた枠線を形成する（図４）。
【００５９】
こうしてステップＳ９が完了し、ステップＳ１０へ移行する。
【００６０】
ステップＳ１０では、「印刷データの生成」が行われる。この処理では、印刷データ生成部２５が、原稿画像データを印刷データに変換して画像形成装置５に送信する。これにより、画像形成装置５では、印刷データによる印刷として用紙上に画像形成することができる。
【００６１】
ステップＳ１から移行した場合は、通常の印刷結果が得られ、ステップＳ８から移行した場合は、記憶先マークの周囲に枠線を形成するための余白が形成された印刷結果が得られ（図２（Ｂ））、ステップＳ９から移行した場合は、更に余白上に枠線が形成された印刷結果が得られる（図４）。
［画像データ生成処理］
図７は、図２の情報処理端末による画像データ生成処理を示すフローチャートである。本実施例の画像データ生成処理は、情報処理端末７の画像データ生成装置としての各部により実行され、スキャナー９に対する用紙上の原稿画像の読み込み指示を行った場合に開始される。
【００６２】
本実施例の読み込み対象となる原稿画像は、図４のように記憶先マークの周囲の余白上に枠線が形成されている必要がある。このため、印刷データ生成処理で枠線が形成されなかった場合は、記憶先マーク周囲の余白上にユーザーが手書き等で枠線を記入しておく。これにより、画像データ生成時に用紙上で枠線を自由に設定することが可能となる。
【００６３】
開始された画像データ生成処理は、まずステップＳ２１において「原稿画像データ取得」が行われる。この処理では、原稿画像データ取得部２６がスキャナー９で用紙から読み込まれた原稿画像の原稿画像データを取得して、ステップＳ２２に移行する。
【００６４】
ステップＳ２２では、「記憶先マーク認識？」が行われる。この処理では、記憶先情報認識部２７が、原稿画像データ上で記憶先マークを認識する。記憶先情報を認識できた場合はステップＳ２３へ移行し（ＹＥＳ）、認識できなかった場合は処理が終了する（ＮＯ）。
【００６５】
ステップＳ２３では、「枠線認識？」が行われる。この処理では、枠線認識部２９が、ステップＳ２２で認識された記憶先マークの周囲の枠線を認識する。枠線が認識できた場合はステップＳ２４へ移行し（ＹＥＳ）、認識できなかった場合は処理が終了する（ＮＯ）。
【００６６】
ステップＳ２４では、「オブジェクトの埋め込み」が行われる。この処理では、埋込部３１が、記憶先マークから得られる記憶先ＵＲＬに応じてオブジェクトをサーバー３から取得し、取得したオブジェクトを原稿画像の枠線内に埋め込む。
【００６７】
オブジェクトの埋め込みは、オブジェクトの種別に応じて行われる。オブジェクトの種別は、記憶先マークに含めておくことで容易に取得することができる。
【００６８】
本実施例では、オブジェクトの種別が動画像であるから、オブジェクトの大きさを、アスペクト比を維持した状態で、枠線内で最大となるように調整する（図５）。
【００６９】
こうしてオブジェクトが埋め込まれると枠線が削除されて画像データが生成され、本実施例の画像データ生成処理が終了する。
［実施例１の効果］
本実施例の情報処理端末７は、用紙から原稿画像を読み込んだ原稿画像データを取得する原稿画像データ取得部２６と、原稿画像データ上でオブジェクトの記憶先を示す記憶先情報を認識する記憶先情報認識部２７と、原稿画像データ上で記憶先情報の周囲に配置された枠線を認識する枠線認識部２９と、記憶先情報及び枠線を認識した場合に、記憶先情報に応じた記憶先からオブジェクトを取得して原稿画像データの枠線内に埋め込む埋込部３１とを備える。
【００７０】
従って、本実施例では、用紙から原稿画像を読み込んだ原稿画像データに対してオブジェクトを埋め込んだ画像データを生成する際に、原稿画像データ上の記憶先情報の周囲の枠線に応じて埋め込まれるオブジェクトの位置や大きさを設定することができる。
【００７１】
このため、本実施例では、原稿画像の読み込み前に用紙上で枠線の大きさを調整すれば、埋め込まれるオブジェクトの位置や大きさに対する自由度を向上することができる。
【００７２】
例えば、用紙上に記憶先情報を有し且つ枠線のない原稿画像を用意しておけば、読み込みを行う前に用紙上で手書きによって自由に枠線を設定して、原稿画像データ上に埋め込まれるオブジェクトの位置や大きさを自由に設定することが可能となる。
【００７３】
また、用紙上に記憶先情報と共に枠線を有する原稿画像であっても、読み込みを行う前に用紙上で修正液等によって既存の枠線を消した後に手書きにより枠線を再度設定すれば、原稿画像データ上に埋め込まれるオブジェクトの位置や大きさを自由に設定することが可能となる。
【００７４】
本実施例では、埋込部３１がオブジェクトの種別が画像（動画像、静止画像）である場合に、アスペクト比を維持した最大の大きさとなるように枠線内へのオブジェクトの埋め込みを行うので、枠線を自由に設定させたとしても生成された画像データによる画像の視認性が低下することがない。
【００７５】
本実施例の情報処理端末７は、画像データから印刷データを生成する場合、画像内にオブジェクトが埋め込まれた画像データに対してオブジェクトを記憶するオブジェクト記憶部１７と、画像データ上でオブジェクトを、このオブジェクトの記憶先を示す記憶先情報に置換する置換部１９と、画像データ上で記憶先情報の周囲に枠線を配置可能とする余白を形成する余白形成部２１とを備える。
【００７６】
従って、本実施例では、印刷データに基づいて記憶先情報の周囲で枠線を自由に設定することが可能な原稿画像を用紙上に形成させることができる。
【実施例２】
【００７７】
図８は、画像処理システムを示す概念図であり、（Ａ）は印刷データ生成時、（Ｂ）は画像データ生成時を示す。図９は、図８の画像形成装置を示す要部ブロック図である。本実施例では、基本構成が実施例１と共通するため、対応する構成部分に同符号又は同符号にＡを追加した符号を用いて重複した説明を省略する。
【００７８】
本実施例の画像処理システム１Ａでは、サーバー３及び画像形成装置５Ａを備え、画像形成装置５Ａが画像データ生成装置及び画像データ処理装置として動作する。
【００７９】
このため、画像形成装置５Ａは、外部インターフェイス３３、スキャナー３５、制御部３７、及び記憶部３９等を備えている。なお、画像形成装置５Ａの他の構成については、通常のコピー機能やプリント機能等に対するものであるから説明を省略する。
【００８０】
外部インターフェイス３３は、ＵＳＢメモリー等の外部記憶媒体を接続させるものである。スキャナー３５は、用紙上に形成されている原稿画像を読み取って原稿画像データを生成する。制御部３７は、ＣＰＵ等の演算装置であり、記憶部３９は、ＲＯＭ、ＲＡＭ、ＨＤＤ等である。
【００８１】
画像形成装置５Ａでは、制御部３７が記憶部３９内のプログラムを実行することで、画像データ処理装置のオブジェクト記憶部１７Ａ、置換部１９Ａ、余白形成部２１Ａ、枠線形成部２３Ａ、データ変換部４１として動作すると共に、画像データ生成装置の画像取得部２６Ａ、記憶先情報認識部２７Ａ、枠線認識部２９Ａ、埋込部３１Ａとして動作する。
【００８２】
画像データ処理装置の各部は、例えば外部記憶媒体が外部インターフェイス３３に接続され、且つ外部記憶媒体内の画像データに対して印刷指示が行われた場合に動作する。オブジェクト記憶部１７Ａ、置換部１９Ａ、余白形成部２１Ａ、枠線形成部２３Ａについては、実施例１と同様であるが、本実施例では、データ変換部４１が実施例１の印刷データ生成部２５の代わりに動作する。
【００８３】
データ変換部４１は、データ変更機能を実現し、原稿画像データを印刷処理に適したものに変換して図示しないプリントエンジンで印刷を行わせる。
【００８４】
画像データ生成装置としての各部は、例えばスキャナー３５に対する用紙上の原稿画像の読み込み指示を行った場合に動作する。記憶先情報認識部２７Ａ、枠線認識部２９Ａ、埋込部３１Ａは、実施例１と同様である。
【００８５】
本実施例の画像形成装置５Ａは、実施例１の情報処理端末７と同様の作用効果を奏することができる。
【００８６】
なお、画像データ処理装置及びデータ変換部の何れか一方は、情報処理端末７で動作させ、同他方は、画像形成装置５Ａで動作させても良い。
【実施例３】
【００８７】
図１０は、原稿画像データを示す概念図である。なお、本実施例は、実施例１の余白形成部２１又は実施例２の余白形成部２１Ａの機能を変更したものであり、構成については、図３又は図９を参照する。
【００８８】
余白形成部２１又は２１Ａは、原稿画像データ内のオブジェクトに置き換えられた記憶先情報を新規ページ上に位置させるものである。
【００８９】
これにより、本実施例では、図１０のように、オブジェクトと同一ページにあった文書部分とは異なるページに記憶先情報を位置させることができ、より自由に枠線を設定することが可能となる。
【００９０】
画像データを生成する場合は、用紙上の文書ページと共に記憶先情報のページ（オブジェクトページ）が読み取られると、記憶先情報を置換してオブジェクトを埋め込むことができる。
【００９１】
この場合、必要に応じて文書ページとオブジェクトとが結合されることになるが、文書ページの余白領域及びオブジェクトページに形成された枠線に基づいて行うことができる。
【００９２】
例えば、文書ページの余白領域がオブジェクトページに形成されている枠線の大きさの範囲内であれば、その余白領域内にオブジェクトを埋め込んで画像データを生成することができる。
【００９３】
一方、文書ページの余白領域よりも枠線の大きさが大きい場合は、文書ページとオブジェクトとを結合せずに、それぞれ別のページとして画像データを生成することができる。
【符号の説明】
【００９４】
５Ａ  画像形成装置（画像データ生成装置及び画像データ処理装置）
７  情報処理端末（画像データ生成装置及び画像データ処理装置）
１７，１７Ａ  オブジェクト記憶部
１９，１９Ａ  置換部
２１，２１Ａ  余白形成部
２３，２３Ａ  枠線形成部
２６，２６Ａ  原稿画像データ取得部
２７，２７Ａ  記憶先情報認識部
２９，２９Ａ  枠線認識部
３１，３１Ａ  埋込部
【図２】
2014236431.tif 000003
【図３】
2014236431.tif 000004
【図４】
2014236431.tif 000005
【図５】
2014236431.tif 000006
【図６】
2014236431.tif 000007
【図７】
2014236431.tif 000008
【図９】
2014236431.tif 000009
【図１０】
2014236431.tif 000010
【図１】
2014236431.tif 000011
【図８】
2014236431.tif 000012